(57)【特許請求の範囲】
【請求項１】
第１貯湯タンク及び第２貯湯タンクと、
前記第１貯湯タンク及び前記第２貯湯タンクに貯留された湯を出湯端末へ給湯するための配管と、
前記配管を流れる湯を前記第１貯湯タンクに戻すための戻り配管と、
前記第１貯湯タンクに貯留された湯を前記配管の一部と前記戻り配管とを経由して前記第１貯湯タンクへ戻す循環手段と、
前記第１貯湯タンクから前記出湯端末への給湯をする給湯状態と前記第１貯湯タンクから前記出湯端末への給湯を停止する給湯停止状態とを切り替える切り替え手段と、
前記切り替え手段を制御する制御手段と、
前記第１貯湯タンクから前記出湯端末への一定期間当たりの給湯量を測定する給湯量測定手段と、
前記第２貯湯タンクの蓄熱量を測定する蓄熱量測定手段と、
を備え、
前記制御手段は、前記給湯量測定手段によって測定された前記給湯量が給湯使用可能湯量に到達した場合に前記切り替え手段によって前記第１貯湯タンクを前記給湯停止状態とし、前記第１貯湯タンクが前記給湯停止状態の時に前記蓄熱量測定手段によって測定された前記第２貯湯タンクの蓄熱量が湯切れ判定量以下になった場合に前記切り替え手段によって前記第１貯湯タンクを前記給湯状態へ切り替える給湯システム。
【請求項２】
前記給湯停止状態から前記給湯状態への切り替えを許可する許可状態と前記給湯停止状態から前記給湯状態への切り替えを禁止する禁止状態とを選択する選択手段を備え、
前記制御手段は、前記選択手段によって前記第１貯湯タンクが前記禁止状態となっている場合は、前記第１貯湯タンクが前記給湯停止状態の時に前記蓄熱量測定手段によって測定された前記第２貯湯タンクの蓄熱量が湯切れ判定量以下になっても前記第１貯湯タンクを前記給湯停止状態で維持する請求項１に記載の給湯システム。
【請求項３】
前記第２貯湯タンクの蓄熱量を増加させる熱源機を備え、
前記制御手段は、前記第１貯湯タンクが前記給湯停止状態の時に前記蓄熱量測定手段によって測定された前記第２貯湯タンクの蓄熱量が湯切れ判定量以下になった場合に前記熱源機に前記第２貯湯タンクの蓄熱量を増加させる請求項１または請求項２に記載の給湯システム。
【請求項４】
前記第２貯湯タンクの蓄熱量を増加させる熱源機を備え、
前記制御手段は、前記給湯量測定手段によって測定された前記給湯量が規定給湯量に到達した場合に前記熱源機に前記第２貯湯タンクの蓄熱量を増加させ、
前記規定給湯量は、前記給湯使用可能湯量よりも少ない値として設定される請求項１または請求項２に記載の給湯システム。
【請求項５】
外気温を測定する外気温測定手段を備え、
前記制御手段は、前記外気温測定手段によって測定された外気温に基づいて前記給湯使用可能湯量を設定する請求項１から請求項４の何れか１項に記載の給湯システム。
【請求項６】
前記戻り配管を流れる湯の温度を測定する湯温測定手段を備え、
前記制御手段は、前記湯温測定手段によって測定された前記戻り配管を流れる湯の温度に基づいて前記給湯使用可能湯量を設定する請求項１から請求項５の何れか１項に記載の給湯システム。
【発明の詳細な説明】
【技術分野】
【０００１】
本発明は、給湯システムに関する。
【背景技術】
【０００２】
特許文献１に、給湯装置が記載されている。特許文献１に記載の給湯装置は、熱源機、給湯タンク及び循環タンクを備える。熱源機は、給湯タンク及び循環タンクへ高温の湯を供給する。給湯装置は、出湯端末への給湯動作及び出湯端末が設けられた配管への湯の循環動作を行う。給湯タンクは、給湯動作によって使用される。給湯動作の際には、給湯タンクの蓄熱量が十分必要である。また循環タンクは、給湯動作及び循環動作の両動作によって使用される。
【先行技術文献】
【特許文献】
【０００３】
【特許文献１】特開２０１３―１１３９９号公報
【発明の概要】
【発明が解決しようとする課題】
【０００４】
上記特許文献１に記載の給湯装置において、給湯タンクの蓄熱量が不十分な場合、出湯端末への湯切れが発生する。また循環タンクは、循環動作と給湯動作との両動作で使用される。このため、循環タンクの蓄熱量は大きく減少する。大きく減少した蓄熱量を補うためには、熱源機の使用頻度及び動作時間を増加させる必要がある。これにより、熱源機が短寿命化する可能性がある。
【０００５】
本発明は、上記のような課題を解決するためになされた。本発明の目的は、湯切れが発生する可能性を低下させつつ熱源機の短寿命化を防ぐことができる給湯システムを提供することである。
【課題を解決するための手段】
【０００６】
本発明に係る給湯システムは、第１貯湯タンク及び第２貯湯タンクと、第１貯湯タンク及び第２貯湯タンクに貯留された湯を出湯端末へ給湯するための配管と、配管を流れる湯を第１貯湯タンクに戻すための戻り配管と、第１貯湯タンクに貯留された湯を配管の一部と戻り配管とを経由して第１貯湯タンクへ戻す循環手段と、第１貯湯タンクから出湯端末への給湯をする給湯状態と第１貯湯タンクから出湯端末への給湯を停止する給湯停止状態とを切り替える切り替え手段と、切り替え手段を制御する制御手段と、第１貯湯タンクから出湯端末への一定期間当たりの給湯量を測定する給湯量測定手段と、第２貯湯タンクの蓄熱量を測定する蓄熱量測定手段と、を備える。制御手段は、給湯量測定手段によって測定された上記の給湯量が給湯使用可能湯量に到達した場合に切り替え手段によって第１貯湯タンクを給湯停止状態とし、第１貯湯タンクが給湯停止状態の時に蓄熱量測定手段によって測定された第２貯湯タンクの蓄熱量が湯切れ判定量以下になった場合に切り替え手段によって第１貯湯タンクを給湯状態へ切り替える。
【発明の効果】
【０００７】
本発明に係る給湯システムは、第１貯湯タンクから出湯端末への一定期間当たりの給湯量が給湯使用可能湯量に到達した場合に切り替え手段によって給湯停止状態とし、第２貯湯タンクの蓄熱量が湯切れ判定量以下になった場合に切り替え手段によって給湯状態へ切り替える。このため、湯切れが発生する可能性を低下させつつ熱源機の短寿命化を防ぐことができる。
【図面の簡単な説明】
【０００８】
【図１】本発明の実施の形態１の給湯システムの構成図である。
【図２】本発明の実施の形態１の給湯システムの即湯循環動作を示す図である。
【図３】本発明の実施の形態１の給湯システムの第１給湯動作形態を示す図である。
【図４】本発明の実施の形態１の給湯システムの第２給湯動作形態を示す図である。
【図５】本発明の実施の形態１の給湯システムの第３給湯動作形態を示す図である。
【図６】本発明の実施の形態１の給湯使用可能湯量と配管長との関係を示すグラフである。
【図７】本発明の実施の形態１の制御ユニットよる給湯動作形態の切り替えの制御手順の一例を示すフローチャートである。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は本発明の実施の形態１の給湯システム１の構成図である。給湯システム１は、循環ユニット１００ａ及び給湯ユニット１００ｂを備える。まず、循環ユニット１００ａについて説明する。循環ユニット１００ａは、第１貯湯タンク２ａ、第１混合弁３ａ、循環用ポンプ４ａ及び給水開閉弁５を備える。
【００１１】
第１貯湯タンク２ａは、内部に湯水を貯留する。第１貯湯タンク２ａは、例えば上部と下部とで温度差を生じるように湯水を貯留する。例えば第１貯湯タンク２ａ内の上側には、高温の湯が貯留される。例えば第１貯湯タンク２ａ内の下側には、低温の水が貯留される。第１貯湯タンク２ａは、例えば上部から高温の湯が取り出される。第１貯湯タンク２ａは、例えば上部から高温の湯が取り出されるのと同時に下部から低温の水が流入する。第１貯湯タンク２ａ内に貯留されている湯水の体積は一定に保たれる。
【００１２】
第１貯湯タンク２ａには、例えば複数の第１タンクサーミスタ２０ａが設けられる。複数の第１タンクサーミスタ２０ａは、それぞれ取り付け高さを変えて設けられる。第１貯湯タンク２ａには、例えば図１に示すように４つの第１タンクサーミスタ２０ａが設けられる。第１タンクサーミスタ２０ａは本例以外にも、例えば１つあるいは４つ以外の複数個設けられてもよい。
【００１３】
第１貯湯タンク２ａの下部には、第１タンク給水配管３１ａの一端が接続される。第１タンク給水配管３１ａの他端は、給水開閉弁５の流出口に接続される。給水開閉弁５の流入口には、給水配管３０の一端が接続される。給水配管３０の他端は、給湯システム１の外部の水源に接続される。水源は、例えば水道等である。
【００１４】
給水配管３０には、例えば循環ユニット１００ａの内部で、第１入水温度センサ２１ａが設けられる。第１入水温度センサ２１ａは、給水配管３０を流れる水の温度を検知する装置の一例である。
【００１５】
第１混合弁３ａは、２つの流入口と１つの流出口とを有する。第１混合弁３ａの一方の流入口には、第１出湯配管３２ａの一端が接続される。第１出湯配管３２ａの他端は、第１貯湯タンク２ａの上部に接続される。第１混合弁３ａの一方の流入口には、第１貯湯タンク２ａから高温の湯が供給される。
【００１６】
第１混合弁３ａの他方の流入口には、第１給湯用給水配管３３ａの一端が接続される。第１給湯用給水配管３３ａの他端は、第１貯湯タンク２ａと給水開閉弁５との間で、第１タンク給水配管３１ａに接続される。第１混合弁３ａの他方の流入口には、低温の水が供給される。第１混合弁３ａは、供給された高温の湯と低温の水とを混合する。第１混合弁３ａは、混合する高温の湯と低温の水との比率を調整する。
【００１７】
第１混合弁３ａの流出口には、第１給湯配管３４ａの一端が接続される。第１給湯配管３４ａの他端は、循環用ポンプ４ａの流入口に接続される。循環用ポンプ４ａの流出口には、第２給湯配管３５ａの一端が接続される。第２給湯配管３５ａの他端は、循環ユニット１００ａの外部へと出ていく。循環用ポンプ４ａは、循環手段の一例である。循環用ポンプ４ａは、例えば第１給湯配管３４ａ及び第２給湯配管３５ａ等の配管に、第１貯湯タンク２ａ内の湯水を循環させる。
【００１８】
第１給湯配管３４ａには、第１流量センサ２２ａが設けられる。第１流量センサ２２ａは、第１給湯配管３４ａを流れる湯の量を検知する装置の一例である。第２給湯配管３５ａには、循環ユニット１００ａの内部で第１給湯温度センサ２３ａが設けられる。第１給湯温度センサ２３ａは、第２給湯配管３５ａを流れる湯の温度を検知する装置の一例である。
【００１９】
また循環ユニット１００ａは、例えば第１熱源機４０ａと接続される。第１熱源機４０ａは、例えば循環ユニット１００ａの外部に設けられる。第１熱源機４０ａは、例えばヒートポンプ式の装置である。第１熱源機４０ａは、例えば配管によって第１貯湯タンク２ａと接続される。第１熱源機４０ａには、第１貯湯タンク２ａの下部から低温の水が供給される。第１熱源機４０ａは、低温の水を沸き上げて高温の湯を生成する。第１熱源機４０ａは、生成した高温の湯を第１貯湯タンク２ａの上部へ供給する。第１熱源機４０ａは、高温の湯を供給することにより、第１貯湯タンク２ａの蓄熱量を増加させる。
【００２０】
次に、給湯ユニット１００ｂについて説明する。給湯ユニット１００ｂは、第２貯湯タンク２ｂ、第２混合弁３ｂ及び給湯開閉弁４ｂを備える。第２貯湯タンク２ｂは、上述の第１貯湯タンク２ａと同様に、上部と下部とで温度差を生じるように湯水を貯留する。第２貯湯タンク２ｂ内に貯留されている湯水の体積は一定に保たれる。
【００２１】
第２貯湯タンク２ｂには、例えば複数の第２タンクサーミスタ２０ｂが設けられる。複数の第２タンクサーミスタ２０ｂは、それぞれ取り付け高さを変えて設けられる。第２貯湯タンク２ｂには、例えば図１に示すように４つの第２タンクサーミスタ２０ｂが設けられる。第２タンクサーミスタ２０ｂは本例以外にも、例えば１つあるいは４つ以外の複数個設けられてもよい。
【００２２】
第２貯湯タンク２ｂの下部には、第２タンク給水配管３１ｂの一端が接続される。第２タンク給水配管３１ｂの他端は、外部の水源と第１入水温度センサ２１ａとの間で、給水配管３０に接続される。
【００２３】
第２タンク給水配管３１ｂには、例えば給湯ユニット１００ｂの内部で、第２入水温度センサ２１ｂが設けられる。第２入水温度センサ２１ｂは、第２タンク給水配管３１ｂを流れる水の温度を検知する装置の一例である。
【００２４】
第２混合弁３ｂは、２つの流入口と１つの流出口とを有する。第２混合弁３ｂの一方の流入口には、第２出湯配管３２ｂの一端が接続される。第２出湯配管３２ｂの他端は、第２貯湯タンク２ｂの上部に接続される。第２混合弁３ｂの一方の流入口には、第２貯湯タンク２ｂから高温の湯が供給される。
【００２５】
第２混合弁３ｂの他方の流入口には、第２給湯用給水配管３３ｂの一端が接続される。第２給湯用給水配管３３ｂの他端は、第２貯湯タンク２ｂと第２入水温度センサ２１ｂとの間で、第２タンク給水配管３１ｂに接続される。第２混合弁３ｂの他方の流入口には、低温の水が供給される。第２混合弁３ｂは、供給された高温の湯と低温の水とを混合する。第２混合弁３ｂは、混合する高温の湯と低温の水との比率を調整する。
【００２６】
第２混合弁３ｂの流出口には、第３給湯配管３４ｂの一端が接続される。第３給湯配管３４ｂの他端は、給湯開閉弁４ｂの流入口に接続される。給湯開閉弁４ｂの流出口には、第４給湯配管３５ｂの一端が接続される。第４給湯配管３５ｂの他端は、給湯ユニット１００ｂの外部へと出ていく。
【００２７】
第３給湯配管３４ｂには、第２流量センサ２２ｂが設けられる。第２流量センサ２２ｂは、第３給湯配管３４ｂを流れる湯の量を検知する装置の一例である。第４給湯配管３５ｂには、給湯ユニット１００ｂの内部で第２給湯温度センサ２３ｂが設けられる。第２給湯温度センサ２３ｂは、第４給湯配管３５ｂを流れる湯の温度を検知する装置の一例である。
【００２８】
また給湯ユニット１００ｂは、例えば第２熱源機４０ｂと接続される。第２熱源機４０ｂは、例えば給湯ユニット１００ｂの外部に設けられる。第２熱源機４０ｂは、例えばヒートポンプ式の装置である。第２熱源機４０ｂは、例えば配管によって第２貯湯タンク２ｂと接続される。第２熱源機４０ｂには、第２貯湯タンク２ｂの下部から低温の水が供給される。第２熱源機４０ｂは、低温の水を沸き上げて高温の湯を生成する。第２熱源機４０ｂは、生成した高温の湯を第２貯湯タンク２ｂの上部へ供給する。第２熱源機４０ｂは、高温の湯を供給することにより、第２貯湯タンク２ｂの蓄熱量を増加させる。
【００２９】
給湯ユニット１００ｂの外部へ出た第４給湯配管３５ｂは、循環ユニット１００ａの外部へ出た第２給湯配管３５ａと合流する。合流した第２給湯配管３５ａ及び第４給湯配管３５ｂは、一本の往き配管３６になる。往き配管３６には、蛇口６が設けられる。蛇口６は、出湯端末の一例である。また往き配管３６には、戻り配管３７の一端が接続される。戻り配管３７の他端は、第１貯湯タンク２ａの下部に接続される。循環用ポンプ４ａ、第１タンク給水配管３１ａ、第１出湯配管３２ａ、第１給湯用給水配管３３ａ、第１給湯配管３４ａ、第２給湯配管３５ａ、往き配管３６及び戻り配管３７は、本実施の形態における循環回路を構成する。
【００３０】
また給湯システム１は、制御ユニット１０を備える。制御ユニット１０は、循環ユニット１００ａおよび給湯ユニット１００ｂを構成する各機器と電気的に接続される。制御ユニット１０は、各機器の動作を制御する動作制御機能を有する。動作制御機能は、本発明の制御手段の一例である。
【００３１】
制御ユニット１０は、例えば第１制御装置１０ａ及び第２制御装置１０ｂを備える。第１制御装置１０ａは、例えば循環ユニット１００ａの内部に設けられる。また第２制御装置１０ｂは、例えば給湯ユニット１００ｂの内部に設けられる。なお第１制御装置１０ａは、例えば循環ユニット１００ａの外部に設けられてもよい。また第２制御装置１０ｂは、例えば給湯ユニット１００ｂの外部に設けられてもよい。
【００３２】
また制御ユニット１０は、例えば１つの制御装置を備える構成としてもよい。例えば制御ユニット１０に備えられた１つの制御装置は、第１制御装置１０ａ及び第２制御装置１０ｂの両方の機能を有する。
【００３３】
第１制御装置１０ａは、例えば第１混合弁３ａ、循環用ポンプ４ａ、給水開閉弁５及び第１熱源機４０ａと電気的に接続される。また第１制御装置１０ａは、例えば第１タンクサーミスタ２０ａ、第１入水温度センサ２１ａ、第１流量センサ２２ａ及び第１給湯温度センサ２３ａと電気的に接続される。
【００３４】
第１制御装置１０ａには、例えば図１に示すようにリモートコントローラー１１が電気的に接続される。第１制御装置１０ａとリモートコントローラー１１とは、例えば配線１２によって接続される。第１制御装置１０ａとリモートコントローラー１１とは、相互通信が可能である。リモートコントローラー１１は、例えば操作部１３を有する。操作部１３は、使用者が給湯システム１を操作するために設けられる。なお第１制御装置１０ａとリモートコントローラー１１とは、例えば電波等によって無線での相互通信を行う構成としてもよい。
【００３５】
第１制御装置１０ａは、例えば第１混合弁３ａ、循環用ポンプ４ａ、給水開閉弁５及び第１熱源機４０ａを制御する。また第１制御装置１０ａは、第１タンクサーミスタ２０ａ、第１入水温度センサ２１ａ、第１流量センサ２２ａ及び第１給湯温度センサ２３ａから情報を取得する。
【００３６】
第１制御装置１０ａは、例えば第１貯湯タンク２ａの蓄熱量を算出する蓄熱量算出機能を有する。第１タンクサーミスタ２０ａは、第１貯湯タンク２ａ内の湯水の温度を検知する。第１貯湯タンク２ａ内に貯留されている湯水の体積は一定である。第１制御装置１０ａは、第１タンクサーミスタ２０ａによって検知された温度に基づいて第１貯湯タンク２ａの蓄熱量を算出することができる。第１貯湯タンク２ａの蓄熱量は、例えば第１制御装置１０ａの蓄熱量算出機能及び第１タンクサーミスタ２０ａによって測定される。なお第１貯湯タンク２ａの蓄熱量の測定には、本例の蓄熱量算出機能及び第１タンクサーミスタ２０ａ以外のものを用いてもよい。
【００３７】
第１制御装置１０ａは、例えば第１貯湯タンク２ａから使用された熱量を算出する機能を有する。また第１制御装置１０ａは、第１貯湯タンク２ａから蛇口６への一定期間当たりの給湯量を算出する給湯量算出機能を有する。一定期間は、例えば一日である。
【００３８】
第１入水温度センサ２１ａは、給水配管３０を流れる水の温度を検知する。第１流量センサ２２ａは、第１給湯配管３４ａを流れる湯の量を検知する。第１給湯温度センサ２３ａは、第２給湯配管３５ａを流れる湯の温度を検知する。
【００３９】
第１制御装置１０ａは、第１入水温度センサ２１ａ、第１流量センサ２２ａ及び第１給湯温度センサ２３ａから取得した情報に基づいて、第１貯湯タンク２ａから使用された熱量を算出する。また第１制御装置１０ａは、第１入水温度センサ２１ａ、第１流量センサ２２ａ及び第１給湯温度センサ２３ａから取得した情報に基づいて、第１貯湯タンク２ａから蛇口６への一定期間当たりの給湯量を算出する給湯量算出機能を有する。
【００４０】
第１貯湯タンク２ａから蛇口６への一定期間当たりの給湯量は、給湯量算出機能、第１入水温度センサ２１ａ、第１流量センサ２２ａ及び第１給湯温度センサ２３ａによって測定される。給湯量算出機能、第１入水温度センサ２１ａ、第１流量センサ２２ａ及び第１給湯温度センサ２３ａは、本発明の給湯量測定手段の一例である。
【００４１】
第１制御装置１０ａは、例えば第１混合弁３ａに高温の湯と低温の水との混合割合を調整させる。第１制御装置１０ａは、第１混合弁３ａに設定温度の湯を生成させる。設定温度は、例えば６０℃である。第１制御装置１０ａは、第１給湯温度センサ２３ａによって検知される湯温を設定温度とするように、第１混合弁３ａを制御する。設定温度は、例えば第１制御装置１０ａに予め記憶される。設定温度は、例えば使用者がリモートコントローラー１１の操作部１３を操作して設定するものとしてもよい。
【００４２】
第２制御装置１０ｂは、例えば第２混合弁３ｂ、給湯開閉弁４ｂ及び第２熱源機４０ｂと電気的に接続される。また第２制御装置１０ｂは、例えば第２タンクサーミスタ２０ｂ、第２入水温度センサ２１ｂ、第２流量センサ２２ｂ及び第２給湯温度センサ２３ｂと電気的に接続される。
【００４３】
第２制御装置１０ｂは、第１制御装置１０ａと電気的に接続される。第１制御装置１０ａと第２制御装置１０ｂとは、例えば図１に示すように通信線１４によって接続される。第１制御装置１０ａと第２制御装置１０ｂとは、相互通信が可能である。なお第１制御装置１０ａと第２制御装置１０ｂとは、例えば電波等によって無線での相互通信を行う構成としてもよい。
【００４４】
第２制御装置１０ｂは、第２混合弁３ｂ、給湯開閉弁４ｂ及び第２熱源機４０ｂを制御する。また第２制御装置１０ｂは、第２タンクサーミスタ２０ｂ、第２入水温度センサ２１ｂ、第２流量センサ２２ｂ及び第２給湯温度センサ２３ｂから情報を取得する。
【００４５】
第２制御装置１０ｂは、例えば第２貯湯タンク２ｂの蓄熱量を算出する蓄熱量算出機能を有する。第２タンクサーミスタ２０ｂは、第２貯湯タンク２ｂ内の湯水の温度を検知する。第２貯湯タンク２ｂ内に貯留されている湯水の体積は一定である。第２制御装置１０ｂは、第２タンクサーミスタ２０ｂによって検知された温度に基づいて第２貯湯タンク２ｂの蓄熱量を算出することができる。第２貯湯タンク２ｂの蓄熱量は、例えば第２制御装置１０ｂの蓄熱量算出機能及び第２タンクサーミスタ２０ｂによって測定される。第２制御装置１０ｂの蓄熱量算出機能及び第２タンクサーミスタ２０ｂは、本発明の蓄熱量測定手段の一例である。なお第２貯湯タンク２ｂの蓄熱量の測定には、本例の蓄熱量算出機能及び第２タンクサーミスタ２０ｂ以外のものを用いてもよい。
【００４６】
第２制御装置１０ｂは、例えば第２貯湯タンク２ｂから使用された熱量を算出する機能を有する。第２入水温度センサ２１ｂは、第２タンク給水配管３１ｂを流れる水の温度を検知する。第２流量センサ２２ｂは、第３給湯配管３４ｂを流れる湯の量を検知する。第２給湯温度センサ２３ｂは、第４給湯配管３５ｂを流れる湯の温度を検知する。第２制御装置１０ｂは、第２入水温度センサ２１ｂ、第２流量センサ２２ｂ及び第２給湯温度センサ２３ｂから取得した情報に基づいて、第２貯湯タンク２ｂから使用された熱量を算出する。
【００４７】
第２制御装置１０ｂは、例えば第２混合弁３ｂに高温の湯と低温の水との混合割合を調整させる。第２制御装置１０ｂは、第２混合弁３ｂに設定温度の湯を生成させる。設定温度は、例えば６０℃である。第２制御装置１０ｂは、第２給湯温度センサ２３ｂによって検知される湯温を設定温度とするように、第２混合弁３ｂを制御する。設定温度は、例えば第２制御装置１０ｂに予め記憶される。設定温度は、例えば使用者がリモートコントローラー１１の操作部１３を操作して設定するものとしてもよい。例えばリモートコントローラー１１の操作部１３によって設定された設定温度は、第１制御装置１０ａを介して第２制御装置１０ｂに入力される。
【００４８】
第１制御装置１０ａと第２制御装置１０ｂとは、相互通信を行う。第１制御装置１０ａと第２制御装置１０ｂとは情報を共有する。第１制御装置１０ａは、例えば第２貯湯タンク２ｂの蓄熱量の情報を第２制御装置１０ｂから受信する。また第１制御装置１０ａは、例えば第２貯湯タンク２ｂから使用された熱量の情報を第２制御装置１０ｂから受信する。同様に第２制御装置１０ｂは、例えば第１貯湯タンク２ａの蓄熱量の情報を第１制御装置１０ａから受信する。また第２制御装置１０ｂは、例えば第１貯湯タンク２ａから使用された熱量の情報を第１制御装置１０ａから受信する。
【００４９】
制御ユニット１０は、第１貯湯タンク２ａ及び第２貯湯タンク２ｂの双方の蓄熱量を算出することができる。制御ユニット１０は、第１貯湯タンク２ａ及び第２貯湯タンク２ｂの双方の蓄熱量を監視する。また制御ユニット１０は、第１貯湯タンク２ａ及び第２貯湯タンク２ｂの双方から使用された熱量を算出することができる。制御ユニット１０は、第１貯湯タンク２ａ及び第２貯湯タンク２ｂの双方から使用された熱量を監視する。
【００５０】
次に、給湯システム１の動作のうち、本発明に関係する基本的な動作について説明する。まず、給湯システム１の即湯循環動作について説明する。図２は、給湯システム１の即湯循環動作を示す図である。
【００５１】
即湯循環動作時において制御ユニット１０は、循環用ポンプ４ａを動作させる。図２の破線矢印は、低温の水の流れを示す。破線矢印で示すように、第１貯湯タンク２ａの下部から低温の水が取り出される。低温の水は、第１タンク給水配管３１ａ及び第１給湯用給水配管３３ａを介し、第１混合弁３ａに供給される。
【００５２】
図２の鎖線矢印は、高温の湯の流れを示す。鎖線矢印で示すように、第１貯湯タンク２ａの上部から高温の湯が取り出される。高温の湯は、第１出湯配管３２ａを介し、第１混合弁３ａに供給される。
【００５３】
第１混合弁３ａは、供給された高温の湯と低温の水とを混合する。第１混合弁３ａは、設定温度の湯を生成する。図２の実線矢印は、第１混合弁３ａによって生成された設定温度の湯の流れを示す。第１混合弁は、実線矢印で示すように設定温度の湯を第１給湯配管３４ａへ供給する。第１給湯配管へ供給された湯は、循環用ポンプ４ａによって往き配管３６及び戻り配管３７へ流される。戻り配管３７へ流された湯は、第１貯湯タンク２ａの下部に戻される。
【００５４】
即湯循環動作において循環用ポンプ４ａは、第１貯湯タンク２ａ内に貯留された湯を、往き配管３６及び戻り配管３７等を経由して第１貯湯タンク２ａに戻す。循環用ポンプ４ａが動作することにより、湯水が循環回路を循環する。湯水が循環回路を循環することにより、循環回路全体の温度が上昇する。これにより、蛇口６の近傍の温度が上昇する。給湯システム１は、例えば使用者によって蛇口６が開かれた際、設定温度の湯を即座に使用者へ供給することができる。
【００５５】
循環回路を循環する湯水のもつ熱量は、例えば配管での放熱等によって奪われる。即湯循環動作によって、第１貯湯タンク２ａから熱量が消費される。即湯循環動作を十分に行うためには、一定の熱量が第１貯湯タンク２ａに確保されている必要がある。第１貯湯タンク２ａの蓄熱量が一定の熱量を下回ると、給湯システム１は十分に即湯循環動作を行うことができなくなる。
【００５６】
配管での放熱量は、配管長が長いほど多い。即湯循環動作によって消費される熱量は、配管長が長いほど多い。即湯循環動作を行うには、配管長が長いほど多くの熱量が第１貯湯タンク２ａに確保されている必要がある。
【００５７】
次に給湯システム１の給湯動作について説明する。給湯動作は、例えば使用者によって蛇口６が開かれることで開始される。給湯システム１は、第１給湯動作形態、第２給湯動作形態及び第３給湯動作形態の計３つの給湯動作の形態を有する。
【００５８】
まず第１給湯動作形態について説明する。第１給湯動作形態において制御ユニット１０は、給湯開閉弁４ｂ及び給水開閉弁５を開状態にする。
【００５９】
図３は、給湯システム１の第１給湯動作形態を示す図である。図３の破線矢印は、水源から供給される低温の水の流れを示す。第１貯湯タンク２ａ、第２貯湯タンク２ｂ、第１混合弁３ａ及び第２混合弁３ｂには、水源からの水圧が作用している。給水開閉弁５及び蛇口６が開かれることにより、第１貯湯タンク２ａ及び第１混合弁３ａには低温の水が供給される。また給湯開閉弁４ｂ及び蛇口６が開かれることにより、第２貯湯タンク２ｂ及び第２混合弁３ｂに低温の水が供給される。
【００６０】
図３の鎖線矢印は、高温の湯の流れを示す。第１貯湯タンク２ａに低温の水が供給されることにより、第１貯湯タンク２ａの上部から高温の湯が取り出される。また第２貯湯タンク２ｂに低温の水が供給されることにより、第２貯湯タンク２ｂの上部から高温の湯が取り出される。第１貯湯タンク２ａの上部から取り出された高温の湯は、第１混合弁３ａに供給される。第２貯湯タンク２ｂの上部から取り出された高温の湯は、第２混合弁３ｂに供給される。
【００６１】
第１混合弁３ａは、供給された高温の湯と低温の水とを混合する。第１混合弁３ａは、設定温度の湯を生成する。第２混合弁３ｂは、第１混合弁３ａと同様に、供給された高温の湯と低温の水とを混合する。第２混合弁３ｂは、設定温度の湯を生成する。
【００６２】
図３の実線矢印は、設定温度の湯の流れを示す。第１混合弁３ａは、設定温度の湯を第１給湯配管３４ａ及び第２給湯配管３５ａへ供給する。設定温度の湯は、第１給湯配管３４ａ及び第２給湯配管３５ａを介し、往き配管３６へ供給される。往き配管３６へ供給された設定温度の湯は、蛇口６へ供給される。蛇口６へ供給された湯は、使用者へ供給される。
【００６３】
第２混合弁３ｂは、第１混合弁３ａと同様に、設定温度の湯を第３給湯配管３４ｂ及び第４給湯配管３５ｂへ供給する。設定温度の湯は、第３給湯配管３４ｂ及び第４給湯配管３５ｂを介し、往き配管３６へ供給される。往き配管３６へ供給された設定温度の湯は、蛇口６へ供給される。蛇口６へ供給された湯は、使用者へ供給される。
【００６４】
第１給湯動作形態において蛇口６への給湯は、第１貯湯タンク２ａと第２貯湯タンク２ｂとの両方からされる。第１給湯動作形態では、第１貯湯タンク２ａと第２貯湯タンク２ｂとの両方から熱量が消費される。
【００６５】
次に第２給湯動作形態について説明する。第２給湯動作形態において制御ユニット１０は、給湯開閉弁４ｂを開状態にする。また制御ユニット１０は、給水開閉弁５を閉状態にする。
【００６６】
図４は、給湯システム１の第２給湯動作形態を示す図である。図４の破線矢印は、水源から供給される低温の水の流れを示す。給湯開閉弁４ｂ及び蛇口６が開かれることにより、第２貯湯タンク２ｂ及び第２混合弁３ｂに低温の水が供給される。給水開閉弁５を閉状態としているため、第１貯湯タンク２ａ及び第１混合弁３ａには水が供給されない。
【００６７】
図４の鎖線矢印は、高温の湯の流れを示す。第２貯湯タンク２ｂに低温の水が供給されることにより、第２貯湯タンク２ｂの上部から高温の湯が取り出される。第１貯湯タンク２ａには水が供給されないため、第１貯湯タンク２ａから高温の湯は取り出されない。第２貯湯タンク２ｂの上部から取り出された高温の湯は、第２混合弁３ｂに供給される。第２混合弁３ｂは、供給された高温の湯と低温の水とを混合する。第２混合弁３ｂは、設定温度の湯を生成する。
【００６８】
図４の実線矢印は、設定温度の湯の流れを示す。第２混合弁３ｂは、設定温度の湯を第３給湯配管３４ｂ及び第４給湯配管３５ｂへ供給する。設定温度の湯は、第３給湯配管３４ｂ及び第４給湯配管３５ｂを介し、往き配管３６へ供給される。往き配管３６へ供給された設定温度の湯は、蛇口６へ供給される。蛇口６へ供給された湯は、使用者へ供給される。
【００６９】
第２給湯動作形態において蛇口６への給湯は、第２貯湯タンク２ｂからされる。第１貯湯タンク２ａから蛇口６への給湯は停止する。第２給湯動作形態では、第２貯湯タンク２ｂから熱量が消費される。また第２給湯動作形態において閉状態の給水開閉弁５は、循環回路上に位置しない。給湯システム１は、第２給湯動作形態の給湯動作と並行して即湯循環動作を行うことができる。
【００７０】
次に第３給湯動作形態について説明する。第３給湯動作形態において制御ユニット１０は、給水開閉弁５を開状態にする。また制御ユニット１０は、給湯開閉弁４ｂを閉状態にする。
【００７１】
図５は、給湯システム１の第３給湯動作形態を示す図である。図５の破線矢印は、水源から供給される低温の水の流れを示す。給水開閉弁５及び蛇口６が開かれることにより、第１貯湯タンク２ａ及び第１混合弁３ａに低温の水が供給される。給湯開閉弁４ｂを閉状態としているため、第２貯湯タンク２ｂ及び第２混合弁３ｂには水が供給されない。
【００７２】
図５の鎖線矢印は、高温の湯の流れを示す。第１貯湯タンク２ａに低温の水が供給されることにより、第１貯湯タンク２ａの上部から高温の湯が取り出される。第２貯湯タンク２ｂには水が供給されないため、第２貯湯タンク２ｂから高温の湯は取り出されない。第１貯湯タンク２ａの上部から取り出された高温の湯は、第１混合弁３ａに供給される。第１混合弁３ａは、供給された高温の湯と低温の水とを混合する。第１混合弁３ａは、設定温度の湯を生成する。
【００７３】
図５の実線矢印は、設定温度の湯の流れを示す。第１混合弁３ａは、設定温度の湯を第１給湯配管３４ａ及び第２給湯配管３５ａへ供給する。設定温度の湯は、第１給湯配管３４ａ及び第２給湯配管３５ａを介し、往き配管３６へ供給される。往き配管３６へ供給された設定温度の湯は、蛇口６へ供給される。蛇口６へ供給された湯は、使用者へ供給される。
【００７４】
第３給湯動作形態において蛇口６への給湯は、第１貯湯タンク２ａからされる。第２貯湯タンク２ｂから蛇口６への給湯は停止する。第３給湯動作形態では、第１貯湯タンク２ａから熱量が消費される。
【００７５】
制御ユニット１０は、給湯開閉弁４ｂ及び給水開閉弁５を開閉することにより、給湯動作形態を切り替える。例えば給水開閉弁５が開状態の時、第１貯湯タンク２ａから蛇口６への給湯が行われる。また給水開閉弁５が閉状態の時、第１貯湯タンク２ａから蛇口６への給湯は停止する。給水開閉弁５は、第１貯湯タンク２ａから蛇口６への給湯をする給湯状態と第１貯湯タンク２ａから蛇口６への給湯を停止する給湯停止状態とを切り替える。給水開閉弁５は、本発明の切り替え手段の一例である。
【００７６】
制御ユニット１０は、給湯動作形態を切り替えることで、第１貯湯タンク２ａから蛇口６への一定期間当たりの給湯量を制限する。一定期間は、例えば一日である。第１貯湯タンク２ａから蛇口６への一定期間あたりの給湯量を、以下では単に給湯量と呼称する。制御ユニット１０は、給湯量を給湯使用可能湯量以下に制限する。これにより、給湯動作によって第１貯湯タンク２ａから消費される熱量が制限される。
【００７７】
図６は、給湯使用可能湯量と配管長との関係の一例を示すグラフである。配管長とは、例えば循環回路の長さである。
【００７８】
図６の破線は、即湯循環直線の一例である。即湯循環直線は、即湯循環動作に必要な熱量が第１貯湯タンク２ａに確保される条件での給湯使用可能湯量を示す。即湯循環動作を行うには、配管長が長いほど多くの熱量が第１貯湯タンク２ａに確保されている必要がある。給湯動作によって第１貯湯タンク２ａから消費できる熱量は、配管長が長いほど減少する。給湯量は、配管長が長いほど少ない量に制限される必要がある。図６の即湯循環直線における給湯使用可能湯量は、配管長が長いほど少なくなる。
【００７９】
図６の鎖線は、寿命直線の一例である。寿命直線は、第１熱源機４０ａが設計寿命を満たす条件での給湯使用可能湯量を示す。設計寿命は、例えば１０年である。第１熱源機４０ａが設計寿命を満たすには、第１熱源機４０ａの動作量を制限すればよい。第１熱源機４０ａの動作量を制限するには、第１貯湯タンク２ａからの消費熱量が制限されればよい。また第１貯湯タンク２ａからの消費熱量は、配管長が長いほど増加する。このため給湯量は、配管長が長いほど少ない量に制限される必要がある。図６の寿命直線における給湯使用可能湯量は、配管長が長いほど少なくなる。
【００８０】
制御ユニット１０には、例えば即湯循環直線及び寿命直線の両条件を満たす制約条件が予め設定される。例えば図６において即湯循環直線と寿命直線とは傾きが異なる。即湯循環直線は、寿命直線に比べて傾きが大きい。また、例えば配管長を０ｍと仮想した場合、即湯循環直線における給湯使用可能湯量は寿命直線における給湯使用可能湯量より多い。即湯循環直線と寿命直線とは、例えば配管長８０ｍの点で交差する。配管長が８０ｍまでは、制約条件は寿命直線を満たすように設定される。また配管長が８０ｍ以上の場合は、制約条件即湯循環直線を満たすように設定される。これにより制約条件は、即湯循環直線及び寿命直線の両条件を満たすことができる。
【００８１】
図６の実線は、即湯循環直線及び寿命直線の両条件を満たす制約条件の一例を示す。制御ユニット１０は、制約条件及び配管長に基づいて給湯使用可能湯量を求める。制御ユニット１０は、例えば制約条件が図６の実線で配管長が１００ｍとき、給湯使用可能湯量を２００Ｌと求める。
【００８２】
配管長は、例えば給湯システム１の設置後に制御ユニット１０に記憶される。配管長は、例えば設置業者によって記憶される。設置業者は、例えばリモートコントローラー１１の操作部１３を操作して配管長を制御ユニット１０に記憶させる。
【００８３】
制御ユニット１０は、給湯動作形態を切り替えることによって、給湯量を求めた給湯使用可能湯量以下に制限する。制御ユニット１０による給湯動作形態の切り替えの制御手順について説明する。図７は、制御ユニット１０による給湯動作形態の切り替えの制御手順の一例を示すフローチャートである。まず制御ユニット１０は、給湯量が給湯使用可能湯量に到達したか判定する（ステップＳ１）。
【００８４】
制御ユニット１０は、給湯量が給湯使用可能湯量に到達していない場合、第２貯湯タンク２ｂの蓄熱量が湯切れ判定量以下か判定する。例えば給湯使用可能湯量が２００Ｌで給湯量が１８０Ｌの場合、制御ユニット１０は、第２貯湯タンク２ｂの蓄熱量が湯切れ判定量以下か判定する（ステップＳ２）。
【００８５】
湯切れ判定量とは、給湯動作に必要な熱量が確保されているかを判定するための閾値である。例えば第２貯湯タンク２ｂの蓄熱量が湯切れ判定量以下の場合、第２貯湯タンク２ｂから蛇口６への十分な給湯を行うことができない。同様に、例えば第１貯湯タンク２ａの蓄熱量が湯切れ判定量以下の場合、第１貯湯タンク２ａから蛇口６への十分な給湯を行うことができない。湯切れ判定量は、例えば予め制御ユニット１０に記憶される。
【００８６】
第１貯湯タンク２ａから蛇口６への給湯を行うために必要な熱量は、即湯循環動作に必要な熱量よりも少ない。すなわち、給湯量が給湯使用可能湯量に到達していない場合、第１貯湯タンク２ａには蛇口６への給湯を行うために必要な熱量が確保されている。
【００８７】
ステップＳ２で第２貯湯タンク２ｂの蓄熱量が湯切れ判定量以下でない場合、制御ユニット１０は、給湯開閉弁４ｂ及び給水開閉弁５を開状態にする（ステップＳ３）。給湯システム１は、図３で示す第１給湯動作形態で給湯動作を行う。
【００８８】
ステップＳ２で第２貯湯タンク２ｂの蓄熱量が湯切れ判定量以下の場合、制御ユニット１０は、給湯開閉弁４ｂを閉状態にする。また制御ユニット１０は、給水開閉弁５を開状態にする（ステップＳ４）。給湯システム１は、図５で示す第３給湯動作形態で給湯動作を行う。
【００８９】
ステップＳ１で給湯量が給湯使用可能湯量に到達した場合、制御ユニット１０は、給水開閉弁５を閉状態に制限する。例えば給湯使用可能湯量が２００Ｌで給湯量が２００Ｌに到達した場合、制御ユニット１０は、給水開閉弁５を閉状態にする（ステップＳ５）。第１貯湯タンク２ａから蛇口６への給湯を停止する給湯停止状態となる。これにより給湯量は、給湯使用可能湯量以下に制限される。
【００９０】
ステップＳ５で給水開閉弁５を閉状態にすると、制御ユニット１０は、第２貯湯タンク２ｂの蓄熱量が湯切れ判定量以下か判定する（ステップＳ６）。
【００９１】
ステップＳ６で第２貯湯タンク２ｂの蓄熱量が湯切れ判定量以下でない場合、制御ユニット１０は、給湯開閉弁４ｂを開状態にする。給水開閉弁５は、閉状態が維持される。（ステップＳ７）。給湯システム１は、図４で示す第２給湯動作形態で給湯動作を行う。
【００９２】
ステップＳ６で第２貯湯タンク２ｂの蓄熱量が湯切れ判定量以下の場合、制御ユニット１０は、第１貯湯タンク２ａの蓄熱量が湯切れ判定量以下か判定する（ステップＳ８）。
【００９３】
ステップＳ８で第１貯湯タンク２ａの蓄熱量が湯切れ判定量以下でない場合、制御ユニット１０は、給水開閉弁５を閉状態から開状態へ切り替える（ステップＳ９）。これにより第１貯湯タンク２ａから蛇口６への給湯をする給湯状態となる。制御ユニット１０は、給水開閉弁５によって、給湯停止状態から給湯状態へ切り替える。これにより給湯量の制限が解除される。
【００９４】
ステップＳ９で給水開閉弁５を開状態にすると、制御ユニット１０は、給湯開閉弁４ｂを閉状態にする。また制御ユニット１０は、給水開閉弁５を開状態で維持する。（ステップＳ１０）。ステップＳ１０において、給湯システム１は、図５で示す第３給湯動作形態で給湯動作を行う。ステップＳ１０において給湯システム１は、即湯循環動作に必要な熱量を第１貯湯タンク２ａから消費して給湯動作を行う。
【００９５】
ステップＳ８で第１貯湯タンク２ａの蓄熱量が湯切れ判定量以下の場合、制御ユニット１０は、給湯開閉弁４ｂ及び給水開閉弁５を閉状態にする（ステップＳ１１）。給湯システム１は、給湯動作を行わない。
【００９６】
制御ユニット１０は、例えばステップＳ１〜ステップＳ１１を一定の周期で繰り返す。制御ユニット１０は、第１貯湯タンク２ａ及第２貯湯タンク２ｂの状態に応じて給湯システム１の給湯動作形態を切り替える。
【００９７】
即湯循環動作及び給湯動作に使用される兼用タンクは、給湯動作のみに使用される専用タンクに比べて多くの湯が使用される。本実施の形態の第１貯湯タンク２ａは兼用タンクの一例である。また第２貯湯タンク２ｂは、専用タンクの一例である。
【００９８】
兼用タンクと専用タンクとの容量が同じの時、兼用タンクの蓄熱量が不足する可能性が高い。また兼用タンクには、即湯循環動作に必要な熱量が確保されている必要がある。このため、兼用タンクに接続される熱源機は、使用頻度が高くなりやすい。兼用タンクに接続される熱源機は短寿命化しやすい。本実施の形態の第１熱源機４０ａは兼用タンクに接続される熱源機の一例である。
【００９９】
本実施の形態の給湯システム１において、制御ユニット１０は、給湯量を給湯使用可能湯量以下に制限する。給湯使用可能湯量は、制約条件によって求められる。制約条件は、即湯循環直線及び寿命直線の両条件を満たす。これにより、第１貯湯タンク２ａには、即湯循環動作に必要な熱量が確保される。また第１熱源機４０ａの短寿命化が防止される。
【０１００】
本実施の形態の給湯システム１は、給湯量が給湯使用可能湯量に到達した場合、例えば図４の第２給湯動作形態で給湯動作を行う。制御ユニット１０は、給水開閉弁を閉状態に制限する。第１貯湯タンク２ａから蛇口６への給湯は停止する。蛇口６へは、第２貯湯タンク２ｂから給湯される。本実施の形態では、給湯量を制限した状態においても使用者に湯を供給することができる。本実施の形態であれば、使い勝手の低下が生じない。
【０１０１】
本実施の形態の給湯システム１は、給湯量が給湯使用可能湯量に到達した場合においても、第２貯湯タンク２ｂの蓄熱量が湯切れ判定量以下の時には、給湯量の制限が解除される。これにより、第１貯湯タンク２ａから蛇口６への給湯が可能となる。本実施の形態であれば、蛇口６への湯切れが発生する可能性を低下させることができる。
【０１０２】
上記構成を採用することにより、湯切れが発生する可能性を低下させつつ熱源機の短寿命化を防ぐことができる給湯システムが得られる。
【０１０３】
制御ユニット１０は、例えばステップＳ１０において第２熱源機４０ｂを動作させてもよい。制御ユニット１０は、例えば第２貯湯タンク２ｂの蓄熱量が目標熱量となるまで第２熱源機４０ｂを動作させる。目標熱量は、例えば一定期間に使用が予想される熱量である。一定期間は、例えば１日である。目標熱量は、例えば制御ユニット１０に予め記憶される。
【０１０４】
第２貯湯タンク２ｂの蓄熱量が目標熱量となると、制御ユニット１０は、例えば給水開閉弁５を再び閉状態にする。また制御ユニット１０は、給湯開閉弁４ｂを開状態にする。蛇口６への給湯は、第２貯湯タンク２ｂから行われる。制御ユニット１０は、給湯量を再び給湯使用可能湯量以下に制限する。
【０１０５】
また制御ユニット１０は、例えばステップＳ１０において第２熱源機４０ｂを動作させなくてもよい。制御ユニット１０は、給水開閉弁５を開状態のまま維持し、即湯循環動作に必要な熱量を給湯動作によって第１貯湯タンク２ａから使い切らせてもよい。
【０１０６】
また給湯システム１は、ステップＳ９における給湯停止状態から給湯状態への切り替えを使用者が禁止できる構成としてもよい。給湯停止状態から給湯状態への切り替えの禁止は、例えば操作部１３によって行われる。操作部１３は、許可状態と禁止状態とを選択する選択手段の一例である。許可状態では、給湯停止状態から給湯状態への切り替えが許可される。禁止状態では、給湯停止状態から給湯状態への切り替えが禁止される。使用者は、例えば湯切れのリスクよりも第１熱源機４０ａの寿命を優先したい場合、操作部１３によって禁止状態を選択する。
【０１０７】
許可状態において、制御ユニット１０は、上述したステップＳ１〜ステップＳ１１を実施する。禁止状態において、制御ユニット１０は、ステップＳ８〜ステップＳ１０を実施しない。ステップＳ６で第２貯湯タンク２ｂの蓄熱量が湯切れ判定量以下の場合、制御ユニット１０は、ステップＳ１１へと進む。制御ユニット１０は、給湯開閉弁４ｂ及び給水開閉弁５を閉状態にする。給水開閉弁５は、閉状態のまま維持される。第１貯湯タンク２ａから蛇口６への給湯を停止する給湯停止状態が維持される。
【０１０８】
制御ユニット１０は、例えば給湯量が規定給湯量に到達すると第２熱源機４０ｂを動作させてもよい。規定給湯量は、給湯使用可能湯量よりも少ない量として、予め設定される。規定給湯量は、例えば制御ユニット１０に予め記憶される。制御ユニット１０は、給湯量が給湯使用可能湯量に達する前に第２熱源機４０ｂを動作させる。第２熱源機４０ｂは、例えば給湯量が給湯使用可能湯量に達するまでに第２貯湯タンク２ｂの蓄熱量を目標熱量まで増加させる。これにより、給湯動作によって第２貯湯タンク２ｂの蓄熱量が湯切れ判定量以下になる可能性が低くなる。このため、給湯量の制限を解除する可能性が低くなる。本例であれば、第１熱源機４０ａの短寿命化をより効率的に防ぐことができる。
【０１０９】
制御ユニット１０は、例えばステップＳ１１で給湯開閉弁４ｂ及び給水開閉弁５が閉状態のとき、第１熱源機４０ａ及び第２熱源機４０ｂを動作させてもよい。第１熱源機４０ａ及び第２熱源機４０ｂにより、第１貯湯タンク２ａ及び第２貯湯タンク２ｂの蓄熱量が増加する。これにより、給湯システム１は給湯動作を行うことができるようになる。蛇口６への湯切れが解消される。
【０１１０】
本実施の形態において制御ユニット１０には、即湯循環直線及び寿命直線の両条件を満たす制約条件が設定される。制約条件は、例えば図６の実線で示される。制約条件は本例以外にも、例えば曲線あるいは折れ線状等の、直線以外のものとしてもよい。また制約条件が設定される代わりに、即湯循環直線及び寿命直線の両条件が制御ユニット１０に記憶されてもよい。制御ユニット１０は、例えば配管長、即湯循環直線及び寿命直線に基づいて給湯使用可能湯量を求める。
【０１１１】
配管での放熱量は、例えば外気温に影響される。給湯システム１は外気温を測定する外気温測定手段の一例として、外気温度センサ２４を備えてもよい。外気温度センサ２４は、例えば図１に示すように循環ユニット１００ａの外部表面に設けられる。なお外気温度センサ２４は、例えば往き配管３６及び戻り配管３７等に設けられてもよい。外気温度センサ２４は、外気温が測定可能な任意の位置に設けられる。制御ユニット１０は、例えば配管長、制約条件、及び外気温度センサ２４によって測定された外気温に基づいて給湯使用可能湯量を求める。
【０１１２】
戻り配管３７には、例えば循環ユニット１００ａの内部で戻りセンサ２５が設けられてもよい。戻りセンサ２５は、戻り配管３７を流れる湯の温度を測定する湯温測定手段の一例である。制御ユニット１０は、例えば第１給湯温度センサ２３ａ及び戻りセンサ２５によって測定された湯の温度に基づいて、配管での放熱量を推測する。制御ユニット１０は、例えば推測した放熱量及び制約条件に基づいて給湯使用可能湯量を求める。
【０１１３】
本実施の形態の給湯システム１には、１つの蛇口６が往き配管３６に設けられる。蛇口６は、例えば複数設けられてもよい。また給湯システム１は、本例の蛇口６以外にも、例えばシャワー等の出湯端末が設けられる構成としてもよい。
【０１１４】
本実施の形態の給湯システム１において循環ユニット１００ａは、第１貯湯タンク２ａを備える。循環ユニット１００ａは、例えば第１貯湯タンク２ａを複数備えてもよい。同様に、給湯ユニット１００ｂは、例えば第２貯湯タンク２ｂを複数備えてもよい。また給湯システム１は、例えば複数の循環ユニット１００ａおよび複数の給湯ユニット１００ｂを備えてもよい。
【符号の説明】
【０１１５】
１  給湯システム、  ２ａ  第１貯湯タンク、  ２ｂ  第２貯湯タンク、  ３ａ  第１混合弁、  ３ｂ  第２混合弁、  ４ａ  循環用ポンプ、  ４ｂ  給湯開閉弁、  ５  給水開閉弁、  ６  蛇口、  １０  制御ユニット、  １０ａ  第１制御装置、  １０ｂ  第２制御装置、  １１  リモートコントローラー、  １２  配線、  １３  操作部、  １４  通信線、  ２０ａ  第１タンクサーミスタ、  ２０ｂ  第２タンクサーミスタ、  ２１ａ  第１入水温度センサ、  ２１ｂ  第２入水温度センサ、  ２２ａ  第１流量センサ、  ２２ｂ  第２流量センサ、  ２３ａ  第１給湯温度センサ、  ２３ｂ  第２給湯温度センサ、  ２４  外気温度センサ、  ２５  戻りセンサ、  ３０  給水配管、  ３１ａ  第１タンク給水配管、  ３１ｂ  第２タンク給水配管、  ３２ａ  第１出湯配管、  ３２ｂ  第２出湯配管、  ３３ａ  第１給湯用給水配管、  ３３ｂ  第２給湯用給水配管、  ３４ａ  第１給湯配管、  ３４ｂ  第３給湯配管、  ３５ａ  第２給湯配管、  ３５ｂ  第４給湯配管、  ３６  往き配管、  ３７  戻り配管、  ４０ａ  第１熱源機、  ４０ｂ  第２熱源機、  １００ａ  循環ユニット、  １００ｂ  給湯ユニット
【図１】
0006418067.tif 000002
【図２】
0006418067.tif 000003
【図３】
0006418067.tif 000004
【図４】
0006418067.tif 000005
【図５】
0006418067.tif 000006
【図６】
0006418067.tif 000007
【図７】
0006418067.tif 000008